(57)【要約】【課題】出力を禁止すべき特定画像の出力を防止するとともに、特定画像を出力しようとしない一般のユーザに対しては快適な処理を実現する。【解決手段】ＣＰＵ５１は、印刷指令を受けて印刷処理を開始すると、まず不揮発性メモリ５４に記憶された履歴情報を参照し、判定部６１により画像データに特定画像データが含まれると判定された回数が規定回数以上であるか否かを判断する（Ｓ１１）。そして、特定画像判定の回数が規定回数未満のとき（例えば０回のとき）には、判定部６１による判定処理の完了後に印刷出力を開始する判定後出力処理を実行する（Ｓ１２）。また、特定画像判定の回数が規定回数未満であると判断した場合（Ｓ１１：Ｎｏ）には、判定部６１による判定と画像形成部１０による出力とを並行して行う判定・出力並行処理を実行する（Ｓ１３）。【選択図】図５
2007235375.tif 000002
【特許請求の範囲】
【請求項１】
画像データを取得する取得手段と、
前記取得手段により取得された画像データ中に特定画像データが含まれるか否かを判定する判定手段と、
前記判定手段により特定画像データが含まれると判定された回数に関する履歴情報を記憶する履歴記憶手段と、
前記取得手段により取得された画像データに基づく出力が可能な出力手段と、
前記判定手段により取得された画像データ中に特定画像データが含まれると判定された場合に、前記出力手段に対しその出力を停止させるか、あるいは無効化した出力を行わせる禁止手段と、
前記履歴情報を参照し、前記判定手段により特定画像データが含まれると判定された回数が規定回数未満である場合には、前記画像データに対する前記判定手段による判定が完了するより前に前記出力手段にその画像データに基づく出力を開始させ、前記判定手段により特定画像データが含まれると判定された回数が規定回数以上である場合には、前記判定手段により前記画像データが特定画像データを含まないと判定された後に、前記出力手段にその画像データに基づく出力を開始させる制御手段と、
を備えたことを特徴とする画像処理装置。
【請求項２】
前記取得手段は、原稿画像を読み取ることで画像データを取得する原稿読取手段を備え、
前記制御手段は、前記判定手段により特定画像データが含まれると判定された回数が規定回数以上である場合には、前記原稿読取手段に前記出力手段による出力を行うための出力用画像データとは別の判定用画像データを取得させ、前記判定手段により前記判定用画像データが特定画像データを含まないと判定された後に、前記原稿読取手段による前記出力用画像データの取得と並行して、前記出力手段による出力を実行させることを特徴とする請求項１に記載の画像処理装置。
【請求項３】
前記原稿読取手段による前記判定用画像データを取得するための読み取り動作は、前記出力用画像データを取得するのための読み取り動作よりも低解像度で行われることを特徴とする請求項２に記載の画像処理装置。
【請求項４】
前記取得手段により取得した画像データを記憶するデータ記憶手段を備え、
前記取得手段は、原稿画像を読み取ることで画像データを取得する原稿読取手段を備え、
前記制御手段は、前記判定手段により特定画像データが含まれると判定された回数が規定回数以上である場合には、前記判定手段による判定が完了するまでの間に前記原稿読取手段により取得された画像データを前記データ記憶手段に記憶させ、前記判定手段により前記画像データが特定画像データを含まないと判定された後に、前記出力手段により前記データ記憶手段に記憶された画像データに基づく出力を開始させることを特徴とする請求項１に記載の画像処理装置。
【請求項５】
画像データを取得する取得手段と、
前記取得手段により取得された画像データ中に特定画像データが含まれるか否かを判定する判定手段と、
前記判定手段により特定画像データが含まれると判定された回数に関する履歴情報を記憶する履歴記憶手段と、
前記取得手段により取得された画像データに基づく出力が可能な出力手段と、
前記判定手段により取得された画像データ中に特定画像データが含まれると判定された場合に、前記出力手段に対しその出力を停止させるか、あるいは無効化した出力を行わせる禁止手段と、
前記履歴情報を参照し、前記判定手段により特定画像データが含まれると判定された回数が規定回数未満である場合には、前記判定手段に第１判定条件に基づいて判定を行わせ、特定画像データが含まれると判定された回数が規定回数以上である場合には、前記判定手段に、特定画像が含まれないと判定するための条件が前記第１判定条件よりも厳しい、あるいは前記第１判定条件よりも判定項目が多い第２判定条件に基づいて判定を行わせる制御手段と、
を備えたことを特徴とする画像処理装置。
【請求項６】
前記第２判定条件は、前記第１判定条件に対し、少なくとも画像データの元となる画像の色あるいはサイズに関する判定項目を追加したものであることを特徴とする請求項５に記載の画像処理装置。
【請求項７】
前記判定手段は、画像データが特定画像データを含むか否かを、画像データと参照用データとの合致率を用いて判定しており、
前記第２判定条件は、前記第１判定条件に比べ、特定画像データを含むと判定するための合致率の閾値が低いことを特徴とする請求項５または請求項６に記載の画像処理装置。
【請求項８】
画像データを取得する取得手段と、
前記取得手段により取得された画像データ中に特定画像データが含まれるか否かを判定する判定手段と、
前記判定手段により特定画像データが含まれると判定された回数に関する履歴情報を記憶する履歴記憶手段と、
前記取得手段により取得された画像データを記憶するデータ記憶手段と、
前記データ記憶手段により記憶された画像データに基づく出力が可能な出力手段と、
前記判定手段により取得された画像データ中に特定画像データが含まれると判定された場合に、前記出力手段に対しその出力を停止させるか、あるいは無効化した出力を行わせる禁止手段と、
前記履歴情報を参照し、前記判定手段により特定画像データが含まれると判定された回数が規定回数未満である場合には、前記データ記憶手段に記憶される画像データの量が第１閾値に達したときに、前記出力手段にその画像データに基づく出力を開始させ、前記判定手段により特定画像データが含まれると判定された回数が規定回数以上である場合には、前記データ記憶手段に記憶される画像データの量が前記第１閾値よりも大きな第２閾値に達したときに、前記出力手段にその画像データに基づく出力を開始させる制御手段と、
を備えたことを特徴とする画像処理装置。
【請求項９】
画像データを取得する取得手段と、
前記取得手段により取得された画像データ中に特定画像データが含まれるか否かを判定する判定手段と、
前記判定手段により特定画像データが含まれると判定された回数に関する履歴情報を記憶する履歴記憶手段と、
前記取得手段により取得された画像データに基づく出力が可能な出力手段と、
前記判定手段により取得された画像データ中に特定画像データが含まれると判定された場合に、前記出力手段に対しその出力を停止させるか、あるいは無効化した出力を行わせる禁止手段と、
前記履歴情報を参照し、前記判定手段により特定画像データが含まれると判定された回数が増加することに応じて、前記取得手段による画像データの取得から前記出力手段によるその画像データに基づく出力の開始までの時間が増加するように制御する制御手段と、
を備えたことを特徴とする画像処理装置。
【請求項１０】
前記取得手段は、原稿画像を読み取ることで画像データを取得する原稿読取手段を備えることを特徴とする請求項１、請求項５から請求項９のいずれかに記載の画像処理装置。
【請求項１１】
前記判定手段は、画像データに特定画像データが含まれるか否かを判定する本判定処理と、画像データに特定画像データが含まれる可能性が高いか否かを前記本判定処理よりも高速に判定する予備判定処理とを実行可能とされ、
前記制御手段は、前記予備判定処理によって画像データに特定画像データが含まれる可能性が高くないと判定された場合には、前記本判定処理による判定が完了するよりも前に前記出力手段による出力を開始させ、前記予備判定処理によって特定画像データが含まれる可能性が高いと判定された場合には、前記本判定処理によって前記画像データが特定画像データを含まないと判定された後に前記出力手段による出力を開始させることを特徴とする請求項１０に記載の画像処理装置。
【請求項１２】
前記判定手段は、前記予備判定処理において、原稿画像の色またはサイズに関する判定項目を用いて判定を行うことを特徴とする請求項１１に記載の画像処理装置。
【請求項１３】
前記原稿読取手段は、原稿が載置される原稿載置部と、前記原稿載置部に載置された原稿を読み取る読取機構と、前記読取機構による読み取りが可能な位置へ原稿を搬送する原稿送り部とを備え、
前記制御手段は、前記原稿読取手段において前記原稿載置部に載置された原稿を読み取る場合には、前記原稿読取手段に前記出力手段による出力を行うための出力用画像データとは別の判定用画像データを取得させ、前記判定手段によりこの判定用画像データに特定画像データが含まれないと判定された後に、前記原稿読取手段による前記出力用画像データの取得と並行して前記出力手段による出力を開始させ、前記原稿読取手段において前記原稿送り部によって送られる原稿を読み取る場合には、前記原稿読取手段により前記判定用画像データよりも少ない量の画像データを取得したところで、前記出力手段によりその画像データに基づく出力を開始させるとともに、前記判定手段によるその画像データに対する判定と前記出力手段による出力とを並行して行うことを特徴とする請求項１０から請求項１２のいずれかに記載の画像処理装置。
【請求項１４】
前記規定回数は、１回であることを特徴とする請求項１から請求項８のいずれかに記載の画像処理装置。
【請求項１５】
前記履歴記憶手段は、不揮発性メモリからなることを特徴とする請求項１から請求項１４のいずれかに記載の画像処理装置。
【請求項１６】
原稿画像を読み取ることで画像データを取得する原稿読取手段と、
前記原稿読取手段により取得された画像データ中に特定画像データが含まれるか否かを判定する判定手段と、
前記判定手段により特定画像データが含まれると判定された回数に関する履歴情報を記憶する履歴記憶手段と、
前記原稿読取手段により取得された画像データに基づく画像を被記録媒体上に印刷出力する画像形成手段と、
前記判定手段により取得された画像データ中に特定画像データが含まれると判定された場合に、前記画像形成手段に対し印刷出力を停止させるか、あるいは無効化した印刷出力を行わせる禁止手段と、
前記履歴情報を参照し、前記判定手段により特定画像データが含まれると判定された回数が規定回数未満である場合には、前記画像データに対する前記判定手段による判定が完了するより前に前記画像形成手段にその画像データに基づく印刷出力を開始させ、前記判定手段により特定画像データが含まれると判定された回数が規定回数以上である場合には、前記判定手段により前記画像データが特定画像データを含まないと判定された後に、前記画像形成手段にその画像データに基づく印刷出力を開始させる制御手段と、
を備えたことを特徴とする画像形成装置。
【請求項１７】
原稿画像を読み取ることで画像データを取得する原稿読取手段と、
前記原稿読取手段により取得された画像データ中に特定画像データが含まれるか否かを判定する判定手段と、
前記判定手段により特定画像データが含まれると判定された回数に関する履歴情報を記憶する履歴記憶手段と、
前記原稿読取手段により取得された画像データに基づく画像を被記録媒体上に印刷出力する画像形成手段と、
前記判定手段により取得された画像データ中に特定画像データが含まれると判定された場合に、前記画像形成手段に対し印刷出力を停止させるか、あるいは無効化した印刷出力を行わせる禁止手段と、
前記履歴情報を参照し、前記判定手段により特定画像データが含まれると判定された回数が規定回数未満である場合には、前記判定手段に第１判定条件に基づいて判定を行わせ、特定画像データが含まれると判定された回数が規定回数以上である場合には、前記判定手段に、特定画像が含まれないと判定するための条件が前記第１判定条件よりも厳しい、あるいは前記第１判定条件よりも判定項目が多い第２判定条件に基づいて判定を行わせる制御手段と、
を備えたことを特徴とする画像形成装置。
【請求項１８】
原稿画像を読み取ることで画像データを取得する原稿読取手段と、
前記原稿読取手段により取得された画像データ中に特定画像データが含まれるか否かを判定する判定手段と、
前記判定手段により特定画像データが含まれると判定された回数に関する履歴情報を記憶する履歴記憶手段と、
前記原稿読取手段により取得された画像データを記憶するデータ記憶手段と、
前記データ記憶手段により記憶された画像データに基づく画像を被記録媒体上に印刷出力する画像形成手段と、
前記判定手段により取得された画像データ中に特定画像データが含まれると判定された場合に、前記画像形成手段に対し印刷出力を停止させるか、あるいは無効化した印刷出力を行わせる禁止手段と、
前記履歴情報を参照し、前記判定手段により特定画像データが含まれると判定された回数が規定回数未満である場合には、前記データ記憶手段に記憶される画像データの量が第１閾値に達したときに、前記画像形成手段にその画像データに基づく印刷出力を開始させ、前記判定手段により特定画像データが含まれると判定された回数が規定回数以上である場合には、前記データ記憶手段に記憶される画像データの量が前記第１閾値よりも大きな第２閾値に達したときに、前記画像形成手段にその画像データに基づく印刷出力を開始させる制御手段と、
を備えたことを特徴とする画像形成装置。
【請求項１９】
原稿画像を読み取ることで画像データを取得する原稿読取手段と、
前記原稿読取手段により取得された画像データ中に特定画像データが含まれるか否かを判定する判定手段と、
前記判定手段により特定画像データが含まれると判定された回数に関する履歴情報を記憶する履歴記憶手段と、
前記原稿読取手段により取得された画像データに基づく画像を被記録媒体上に印刷出力する画像形成手段と、
前記判定手段により取得された画像データ中に特定画像データが含まれると判定された場合に、前記画像形成手段に対し印刷出力を停止させるか、あるいは無効化した印刷出力を行わせる禁止手段と、
前記履歴情報を参照し、前記判定手段により特定画像データが含まれると判定された回数が増加することに応じて、前記取得手段による画像データの取得から前記画像形成手段によるその画像データに基づく印刷出力の開始までの時間が増加するように制御する制御手段と、
を備えたことを特徴とする画像形成装置。
【発明の詳細な説明】
【技術分野】
【０００１】
本発明は、画像処理装置及び画像形成装置に関する。
【背景技術】
【０００２】
カラー複写機やカラープリンタ等の画像処理装置においては、紙幣や有価証券等の偽造を阻止するための技術が各種提案されている。例えば、特許文献１に記載のものでは、外部の情報処理装置から送信される画像データを用紙上に印刷して出力する印刷処理に並行して、その画像データに出力を禁止すべき特定画像データが含まれるか否かを判定する判定処理を行うように構成されている。そして、このものでは、印刷処理中に画像データが特定画像データを含むと判定された場合には、用紙を逆送りして用紙上に既に印刷された画像を塗り潰すことなどにより、印刷出力された特定画像が悪用されることを防ぐようになっている。
【特許文献１】特開２０００−３０１８００公報
【発明の開示】
【発明が解決しようとする課題】
【０００３】
特定画像が印刷出力されることをより確実に防止するためには、例えば、画像データを印刷出力する前の段階で画像データに特定画像が含まれるか否かの判定を完了させるように構成したり、あるいは画像データに特定画像が含れまないと判定するための判定条件を厳しくする等、種々の偽造防止策を取り入れることが有効である。しかしながら、そういった種々の偽造防止策を取り入れることに伴って、特定画像を印刷出力しようとしない一般のユーザが、処理速度の低下などの不利益を被ってしまうことが懸念される。
【０００４】
本発明は上記のような事情に基づいて完成されたものであって、出力を禁止すべき特定画像の出力を防止するとともに、特定画像を出力しようとしない一般のユーザに対しては快適な処理を実現することを目的とする。
【課題を解決するための手段】
【０００５】
上記の目的を達成するための手段として、請求項１の発明に係る画像処理装置は、画像データを取得する取得手段と、前記取得手段により取得された画像データ中に特定画像データが含まれるか否かを判定する判定手段と、前記判定手段により特定画像データが含まれると判定された回数に関する履歴情報を記憶する履歴記憶手段と、前記取得手段により取得された画像データに基づく出力が可能な出力手段と、前記判定手段により取得された画像データ中に特定画像データが含まれると判定された場合に、前記出力手段に対しその出力を停止させるか、あるいは無効化した出力を行わせる禁止手段と、前記履歴情報を参照し、前記判定手段により特定画像データが含まれると判定された回数が規定回数未満である場合には、前記画像データに対する前記判定手段による判定が完了するより前に前記出力手段にその画像データに基づく出力を開始させ、前記判定手段により特定画像データが含まれると判定された回数が規定回数以上である場合には、前記判定手段により前記画像データが特定画像データを含まないと判定された後に、前記出力手段にその画像データに基づく出力を開始させる制御手段と、を備えたところに特徴を有する。
【０００６】
請求項２の発明は、請求項１に記載のものにおいて、前記取得手段は、原稿画像を読み取ることで画像データを取得する原稿読取手段を備え、前記制御手段は、前記判定手段により特定画像データが含まれると判定された回数が規定回数以上である場合には、前記原稿読取手段に前記出力手段による出力を行うための出力用画像データとは別の判定用画像データを取得させ、前記判定手段により前記判定用画像データが特定画像データを含まないと判定された後に、前記原稿読取手段による前記出力用画像データの取得と並行して、前記出力手段による出力を実行させるところに特徴を有する。
【０００７】
請求項３の発明は、請求項２に記載のものにおいて、前記原稿読取手段による前記判定用画像データを取得するための読み取り動作は、前記出力用画像データを取得するのための読み取り動作よりも低解像度で行われるところに特徴を有する。
【０００８】
請求項４の発明は、請求項１に記載のものにおいて、前記取得手段により取得した画像データを記憶するデータ記憶手段を備え、前記取得手段は、原稿画像を読み取ることで画像データを取得する原稿読取手段を備え、前記制御手段は、前記判定手段により特定画像データが含まれると判定された回数が規定回数以上である場合には、前記判定手段による判定が完了するまでの間に前記原稿読取手段により取得された画像データを前記データ記憶手段に記憶させ、前記判定手段により前記画像データが特定画像データを含まないと判定された後に、前記出力手段により前記データ記憶手段に記憶された画像データに基づく出力を開始させるところに特徴を有する。
【０００９】
請求項５の発明に係る画像処理装置は、画像データを取得する取得手段と、前記取得手段により取得された画像データ中に特定画像データが含まれるか否かを判定する判定手段と、前記判定手段により特定画像データが含まれると判定された回数に関する履歴情報を記憶する履歴記憶手段と、前記取得手段により取得された画像データに基づく出力が可能な出力手段と、前記判定手段により取得された画像データ中に特定画像データが含まれると判定された場合に、前記出力手段に対しその出力を停止させるか、あるいは無効化した出力を行わせる禁止手段と、前記履歴情報を参照し、前記判定手段により特定画像データが含まれると判定された回数が規定回数未満である場合には、前記判定手段に第１判定条件に基づいて判定を行わせ、特定画像データが含まれると判定された回数が規定回数以上である場合には、前記判定手段に、特定画像が含まれないと判定するための条件が前記第１判定条件よりも厳しい、あるいは前記第１判定条件よりも判定項目が多い第２判定条件に基づいて判定を行わせる制御手段と、を備えたところに特徴を有する。
【００１０】
請求項６の発明は、請求項５に記載のものにおいて、前記第２判定条件は、前記第１判定条件に対し、少なくとも画像データの元となる画像の色あるいはサイズに関する判定項目を追加したものであるところに特徴を有する。
【００１１】
請求項７の発明は、請求項５または請求項６に記載のものにおいて、前記判定手段は、画像データが特定画像データを含むか否かを、画像データと参照用データとの合致率を用いて判定しており、前記第２判定条件は、前記第１判定条件に比べ、特定画像データを含むと判定するための合致率の閾値が低いところに特徴を有する。
【００１２】
請求項８の発明に係る画像処理装置は、画像データを取得する取得手段と、前記取得手段により取得された画像データ中に特定画像データが含まれるか否かを判定する判定手段と、前記判定手段により特定画像データが含まれると判定された回数に関する履歴情報を記憶する履歴記憶手段と、前記取得手段により取得された画像データを記憶するデータ記憶手段と、前記データ記憶手段により記憶された画像データに基づく出力が可能な出力手段と、前記判定手段により取得された画像データ中に特定画像データが含まれると判定された場合に、前記出力手段に対しその出力を停止させるか、あるいは無効化した出力を行わせる禁止手段と、前記履歴情報を参照し、前記判定手段により特定画像データが含まれると判定された回数が規定回数未満である場合には、前記データ記憶手段に記憶される画像データの量が第１閾値に達したときに、前記出力手段にその画像データに基づく出力を開始させ、前記判定手段により特定画像データが含まれると判定された回数が規定回数以上である場合には、前記データ記憶手段に記憶される画像データの量が前記第１閾値よりも大きな第２閾値に達したときに、前記出力手段にその画像データに基づく出力を開始させる制御手段と、を備えたところに特徴を有する。
【００１３】
請求項９の発明に係る画像処理装置は、画像データを取得する取得手段と、前記取得手段により取得された画像データ中に特定画像データが含まれるか否かを判定する判定手段と、前記判定手段により特定画像データが含まれると判定された回数に関する履歴情報を記憶する履歴記憶手段と、前記取得手段により取得された画像データに基づく出力が可能な出力手段と、前記判定手段により取得された画像データ中に特定画像データが含まれると判定された場合に、前記出力手段に対しその出力を停止させるか、あるいは無効化した出力を行わせる禁止手段と、前記履歴情報を参照し、前記判定手段により特定画像データが含まれると判定された回数が増加することに応じて、前記取得手段による画像データの取得から前記出力手段によるその画像データに基づく出力の開始までの時間が増加するように制御する制御手段と、を備えたところに特徴を有する。
【００１４】
請求項１０の発明は、請求項１、請求項５から請求項９のいずれかに記載のものにおいて、前記取得手段は、原稿画像を読み取ることで画像データを取得する原稿読取手段を備えるところに特徴を有する。
【００１５】
請求項１１の発明は、請求項１０に記載のものにおいて、前記判定手段は、画像データに特定画像データが含まれるか否かを判定する本判定処理と、画像データに特定画像データが含まれる可能性が高いか否かを前記本判定処理よりも高速に判定する予備判定処理とを実行可能とされ、前記制御手段は、前記予備判定処理によって画像データに特定画像データが含まれる可能性が高くないと判定された場合には、前記本判定処理による判定が完了するよりも前に前記出力手段による出力を開始させ、前記予備判定処理によって特定画像データが含まれる可能性が高いと判定された場合には、前記本判定処理によって前記画像データが特定画像データを含まないと判定された後に前記出力手段による出力を開始させるところに特徴を有する。
【００１６】
請求項１２の発明は、請求項１１に記載のものにおいて、前記判定手段は、前記予備判定処理において、原稿画像の色またはサイズに関する判定項目を用いて判定を行うところに特徴を有する。
【００１７】
請求項１３の発明は、請求項１０から請求項１２のいずれかに記載のものにおいて、前記原稿読取手段は、原稿が載置される原稿載置部と、前記原稿載置部に載置された原稿を読み取る読取機構と、前記読取機構による読み取りが可能な位置へ原稿を搬送する原稿送り部とを備え、前記制御手段は、前記原稿読取手段において前記原稿載置部に載置された原稿を読み取る場合には、前記原稿読取手段に前記出力手段による出力を行うための出力用画像データとは別の判定用画像データを取得させ、前記判定手段によりこの判定用画像データに特定画像データが含まれないと判定された後に、前記原稿読取手段による前記出力用画像データの取得と並行して前記出力手段による出力を開始させ、前記原稿読取手段において前記原稿送り部によって送られる原稿を読み取る場合には、前記原稿読取手段により前記判定用画像データよりも少ない量の画像データを取得したところで、前記出力手段によりその画像データに基づく出力を開始させるとともに、前記判定手段によるその画像データに対する判定と前記出力手段による出力とを並行して行うところに特徴を有する。
【００１８】
請求項１４の発明は、請求項１から請求項８のいずれかに記載のものにおいて、前記規定回数は、１回であるところに特徴を有する。
【００１９】
請求項１５の発明は、請求項１から請求項１４のいずれかに記載のものにおいて、前記履歴記憶手段は、不揮発性メモリからなるところに特徴を有する。
【００２０】
請求項１６の発明に係る画像形成装置は、原稿画像を読み取ることで画像データを取得する原稿読取手段と、前記原稿読取手段により取得された画像データ中に特定画像データが含まれるか否かを判定する判定手段と、前記判定手段により特定画像データが含まれると判定された回数に関する履歴情報を記憶する履歴記憶手段と、前記原稿読取手段により取得された画像データに基づく画像を被記録媒体上に印刷出力する画像形成手段と、前記判定手段により取得された画像データ中に特定画像データが含まれると判定された場合に、前記画像形成手段に対し印刷出力を停止させるか、あるいは無効化した印刷出力を行わせる禁止手段と、前記履歴情報を参照し、前記判定手段により特定画像データが含まれると判定された回数が規定回数未満である場合には、前記画像データに対する前記判定手段による判定が完了するより前に前記画像形成手段にその画像データに基づく印刷出力を開始させ、前記判定手段により特定画像データが含まれると判定された回数が規定回数以上である場合には、前記判定手段により前記画像データが特定画像データを含まないと判定された後に、前記画像形成手段にその画像データに基づく印刷出力を開始させる制御手段と、を備えたところに特徴を有する。
【００２１】
請求項１７の発明に係る画像形成装置は、原稿画像を読み取ることで画像データを取得する原稿読取手段と、前記原稿読取手段により取得された画像データ中に特定画像データが含まれるか否かを判定する判定手段と、前記判定手段により特定画像データが含まれると判定された回数に関する履歴情報を記憶する履歴記憶手段と、前記原稿読取手段により取得された画像データに基づく画像を被記録媒体上に印刷出力する画像形成手段と、前記判定手段により取得された画像データ中に特定画像データが含まれると判定された場合に、前記画像形成手段に対し印刷出力を停止させるか、あるいは無効化した印刷出力を行わせる禁止手段と、前記履歴情報を参照し、前記判定手段により特定画像データが含まれると判定された回数が規定回数未満である場合には、前記判定手段に第１判定条件に基づいて判定を行わせ、特定画像データが含まれると判定された回数が規定回数以上である場合には、前記判定手段に、特定画像が含まれないと判定するための条件が前記第１判定条件よりも厳しい、あるいは前記第１判定条件よりも判定項目が多い第２判定条件に基づいて判定を行わせる制御手段と、を備えたところに特徴を有する。
【００２２】
請求項１８の発明に係る画像形成装置は、原稿画像を読み取ることで画像データを取得する原稿読取手段と、前記原稿読取手段により取得された画像データ中に特定画像データが含まれるか否かを判定する判定手段と、前記判定手段により特定画像データが含まれると判定された回数に関する履歴情報を記憶する履歴記憶手段と、前記原稿読取手段により取得された画像データを記憶するデータ記憶手段と、前記データ記憶手段により記憶された画像データに基づく画像を被記録媒体上に印刷出力する画像形成手段と、前記判定手段により取得された画像データ中に特定画像データが含まれると判定された場合に、前記画像形成手段に対し印刷出力を停止させるか、あるいは無効化した印刷出力を行わせる禁止手段と、前記履歴情報を参照し、前記判定手段により特定画像データが含まれると判定された回数が規定回数未満である場合には、前記データ記憶手段に記憶される画像データの量が第１閾値に達したときに、前記画像形成手段にその画像データに基づく印刷出力を開始させ、前記判定手段により特定画像データが含まれると判定された回数が規定回数以上である場合には、前記データ記憶手段に記憶される画像データの量が前記第１閾値よりも大きな第２閾値に達したときに、前記画像形成手段にその画像データに基づく印刷出力を開始させる制御手段と、を備えたところに特徴を有する。
【００２３】
請求項１９の発明に係る画像形成装置は、原稿画像を読み取ることで画像データを取得する原稿読取手段と、前記原稿読取手段により取得された画像データ中に特定画像データが含まれるか否かを判定する判定手段と、前記判定手段により特定画像データが含まれると判定された回数に関する履歴情報を記憶する履歴記憶手段と、前記原稿読取手段により取得された画像データに基づく画像を被記録媒体上に印刷出力する画像形成手段と、前記判定手段により取得された画像データ中に特定画像データが含まれると判定された場合に、前記画像形成手段に対し印刷出力を停止させるか、あるいは無効化した印刷出力を行わせる禁止手段と、前記履歴情報を参照し、前記判定手段により特定画像データが含まれると判定された回数が増加することに応じて、前記取得手段による画像データの取得から前記画像形成手段によるその画像データに基づく印刷出力の開始までの時間が増加するように制御する制御手段と、を備えたところに特徴を有する。
【発明の効果】
【００２４】
＜請求項１及び請求項１６の発明＞
画像データ中に特定画像データが含まれると判定された回数が規定回数未満のとき（例えば０回のとき）には、画像データの判定が完了するより前に出力が開始されるため、特定画像を出力しようとしない一般のユーザが不必要な待ち時間を強いられることを抑制できる。また、画像データ中に特定画像データが含まれると判定された回数が規定回数以上のとき（例えば１回のとき）には、特定画像データを含まないと判定された後でないと出力が開始されないため、特定画像が一部分でも出力されてしまうことを確実に防ぐことができる。
【００２５】
＜請求項２の発明＞
取得した画像データを判定手段による判定と出力手段による出力との両方に用いる場合、画像データの出力を判定完了後に開始させるためには、判定が終わるまでの間、画像データを記憶手段に記憶させておく必要があり、そのため記憶手段に大きな容量が必要となってしまう。本構成では、先に判定のみに用いる判定用画像データを取得し、その判定完了後、出力用画像データの取得と並行して出力を行うため、使用する記憶手段の容量を低減することができる。
【００２６】
＜請求項３の発明＞
判定用画像データを取得するための読み取り動作が出力用画像データを取得するための読み取り動作よりも低解像度で行われるため、判定用画像データを取得するための読み取り動作にかかる時間を低減することができる。
【００２７】
＜請求項４の発明＞
原稿読取手段により取得した画像データの判定を行う間に、その画像データをデータ記憶手段に蓄積させ、判定完了後に画像データの出力を行う。これにより、原稿読取手段によって出力用の画像データを取得する前に判定用の画像データを取得するというような処理を行うことを省略することができる。
【００２８】
＜請求項５及び請求項１７の発明＞
画像データに特定画像データが含まれると判定された回数が規定回数未満のときには、比較的厳格でない判定条件に基づいて判定が行われる。このため、特定画像を出力しようとしない一般のユーザが、例えば、特定画像でない画像を出力しようとした際にその画像が誤判定により出力できなくなるといった不利益を被ることを防止できる。また、画像データに特定画像データが含まれると判定された回数が規定回数以上のときには、より厳格な判定条件に基づいて判定が行われるため、特定画像が出力されることをより確実に防ぐことができる。
【００２９】
＜請求項６の発明＞
画像データに特定画像データが含まれると判定された回数が規定回数未満のとき、即ち特定画像を出力しようとしていないと認められるユーザに対しては、判定項目を減らすことで迅速な出力処理を行うことが可能となる。
【００３０】
＜請求項７の発明＞
画像データが特定画像データを含むと判定された回数が規定回数以上である場合には、特定画像データと判定するための合致率の閾値を下げることで、より特定画像を含むとの判定がされやすくなり、それにより特定画像の出力を抑制することができる。
【００３１】
＜請求項８及び請求項１８の発明＞
画像データが特定画像データを含むと判定された回数が規定回数以上の場合には、同回数が規定回数未満の場合に比べて、出力の開始までにデータ記憶手段に蓄積される画像データの量が大きくなる。これにより、特定画像データを含むと判定された回数が規定回数未満の場合には、早期に出力が開始されるため、特定画像を出力しようとしない一般のユーザが長い待ち時間を強いられることを回避できる。また、特定画像データを含むと判定された回数が規定回数以上の場合には、出力が開始される時期が遅くなるため、画像データが特定画像データを含む場合にその画像データが出力されてしまうことを抑制することができる。
【００３２】
＜請求項９及び請求項１９の発明＞
判定手段により特定画像データが含まれると判定された回数が増加するのに応じて出力の開始までの時間が増加する。これにより、特定画像データを含むと判定された回数が少ない場合には、早期に出力が開始されるため、特定画像を出力しようとしない一般のユーザが長い待ち時間を強いられることを回避できる。また、特定画像データを含むと判定された回数が多い場合には、出力が開始される時期が遅くなるため、それだけ時間を掛けて精度の高い判定処理を行うことが可能になり、それにより特定画像が出力されることを効果的に抑制することができる。
【００３３】
＜請求項１０の発明＞
原稿画像のスキャンやコピーなどの際に用いられる原稿読取手段は、特定画像の出力を図る手段として最も利用される可能性が高いものであるため、そうした原稿読取手段を備えた画像処理装置に本発明を適用することにより、偽造行為を効果的に防止できる。
【００３４】
＜請求項１１の発明＞
高速な予備判定処理により特定画像データが含まれる可能性が低いと判定された場合には、本判定処理による判定の完了前に出力を開始するため、出力処理の停滞を防止できる。特に画像処理装置を複数のユーザが使用する場合には、一人のユーザが特定画像の出力を図ることにより、他のユーザが処理速度の低下という不利益を被ることを抑制できる。
【００３５】
＜請求項１２の発明＞
予備判定処理では、原稿画像の色やサイズを判定項目として用いるため、判定を早期に完了させることが可能となる。
【００３６】
＜請求項１３の発明＞
原稿載置部に載置された原稿を読み取る場合には、同じ原稿を複数回読み取ることが可能であるため、先に判定のみに用いる判定用画像データを取得し、その判定完了後、出力用画像データの取得と並行して出力を行う。また、原稿送り部によって送られる原稿を読み取る場合には、同じ原稿を複数回読み取ることができないため、原稿読取手段により判定用画像データよりも少ない量の画像データを取得したところで出力手段による出力を開始させ、判定手段による判定と出力手段による出力とを並行して行う。これにより、使用する記憶手段の容量を低減することができる。また、判定用画像データを用いて判定を行うことで、記憶手段の容量が限られていても、判定を行うことができる。
【００３７】
＜請求項１４の発明＞
規定回数を２回以上とすると、特定画像の一部分が複数回出力された場合に、それらを合成して悪用されるおそれがあるが、規定回数を１回とすることでそのような事態を防止できる。
【００３８】
＜請求項１５の発明＞
判定結果についての履歴情報を不揮発性メモリに記憶させるため、装置の電源をオフにした場合にもその履歴情報が消失しない。
【発明を実施するための最良の形態】
【００３９】
＜実施形態１＞
次に本発明の実施形態１を図１から図５を参照して説明する。
【００４０】
１．全体構成
図１は、本発明の画像処理装置及び画像形成装置の一例である複合機１の外観を示す斜視図であり、図２は、原稿カバー３５を上げた状態を示す複合機１の斜視図である。この複合機１は、プリンタ機能、スキャナ機能、コピー機能など各種の機能を備えた多機能周辺装置である。複合機１は、用紙５上に画像を形成する画像形成部１０を収容する本体部２と、本体部２の上方に設けられ原稿画像を読み取る原稿読取部３とを備えている。
【００４１】
（本体部）
図３は、本体部２の概略構成を示す断面図である。なお、以下の説明では、同図における左側を前方とする。
【００４２】
本体部２は、略箱形の本体ケーシング４を備えており、この本体ケーシング４内の底部には、画像を形成するための用紙５（被記録媒体の一例）が複数枚積載される給紙トレイ６が前方へ引き出し可能に設けられている。給紙トレイ６の前端上方には、給紙ローラ７が設けられており、この給紙ローラ７の回転により給紙トレイ６内の最上位に積載された１枚の用紙５が、給紙ローラ７の上方に設けられたレジストローラ８に送り出される。レジストローラ８では、その用紙５を所定のタイミングで、後方のベルトユニット１１上へ送り出す。
【００４３】
本体ケーシング４内における給紙トレイ６の上方には、画像形成部１０（出力手段、画像形成手段の一例）が設けられている。画像形成部１０は、ベルトユニット１１と、４つのプロセスユニット１２Ｍ，１２Ｃ，１２Ｙ，１２Ｋと、４つの露光部１３と、定着器１４とから構成されている。
【００４４】
ベルトユニット１１は、前後一対の支持ローラ１６，１７間に搬送ベルト１８を水平に架設してなり、後側の支持ローラ１７が回転駆動されることにより循環移動し、その上面に載せた用紙５を後方へ搬送する。搬送ベルト１８の内側には、後述のプロセスユニット１２が有する各感光ドラム２６と対向配置される４つの転写ローラ１９が前後に並んで設けられている。
【００４５】
露光部１３は、それぞれ画像データの一色分に対応するレーザ光Ｌを光源から出射し、そのレーザ光Ｌをポリゴンモータ２１により回転駆動されるポリゴンミラー等を介して、感光ドラム２６の表面上に高速走査にて照射する。
【００４６】
プロセスユニット１２Ｍ，１２Ｃ，１２Ｙ，１２Ｋは、それぞれマゼンタ（Ｍ）、シアン（Ｃ）、イエロー（Ｙ）、及びブラック（Ｋ）のトナーを収容するトナー収容室２３や、供給ローラ２４、現像ローラ２５、感光ドラム２６、スコロトロン型帯電器２７等を備えている。
【００４７】
トナー収容室２３から放出されたトナーは、供給ローラ２４の回転により現像ローラ２５に供給され、このとき、供給ローラ２４と現像ローラ２５との間で正に摩擦帯電される。感光ドラム２６の表面は、その回転に伴って、まず、スコロトロン型帯電器２７により一様に正帯電された後、露光部１３からのレーザ光Ｌにより露光され、用紙５に形成すべき画像に対応した静電潜像が形成される。次いで、現像ローラ２５の回転により、現像ローラ２５上のトナーが感光ドラム２６の表面に供給され、静電潜像が可視像化される。その後、感光ドラム２６の表面上に担持されたトナー像は、用紙５が感光ドラム２６と転写ローラ１９との間を通過する間に、転写ローラ１９に印加される転写バイアス電圧によって、用紙５に転写される。
【００４８】
定着器１４は、熱源を有する加熱ローラ２８と、用紙５を加熱ローラ２８側へ押圧する加圧ローラ２９とを備えており、用紙５上に転写されたトナー像を紙面に熱定着させる。そして、定着器１４により熱定着された用紙５は、上方へ搬送され、本体ケーシング４の上面に設けられた排出トレイ３０上に排出される。
【００４９】
（原稿読取部）
原稿読取部３（取得手段、原稿読取手段の一例）は、図１及び図２に示すように、透明なガラス板からなる原稿載置部３３を備えている。この原稿載置部３３には、いわゆるフラットベッド方式で原稿の読み取りを行う際に原稿が載置される。また、原稿載置部３３の上面は、ＡＤＦ３４（原稿送り部の一例）を備えた原稿カバー３５により開閉可能に覆われている。ＡＤＦ３４は、複数枚の原稿を積載可能な原稿トレイ３６を備えている。この原稿トレイ３６には、原稿が載置されているか否かを検出するためのフォトセンサ等を利用した原稿検出センサ（図示せず）が設けられている。ＡＤＦ３４は、原稿トレイ３６に載置された原稿を一枚ずつ搬送して、その原稿を次に述べるＣＣＤイメージセンサ３７により読み取らせた後に排出する。
【００５０】
原稿載置部３３の下側には、ＣＣＤイメージセンサ３７（読取機構の一例、図４参照）が設けられている。このＣＣＤイメージセンサ３７は、前後方向に一列に並んで配置されたフォトダイオードを備えており、光源より原稿に強い光を当てたときの反射光を個々のフォトダイオードで受光し、原稿の画素毎に反射光の光強度（明度）を電気信号に変換する。原稿読取部３では、これをＡ／Ｄ変換器（図示せず）にてデジタルデータ化することで、原稿上に形成された画像を画像データとして読み取ることができる。
【００５１】
原稿の読み取りは、原稿載置部３３上に原稿を載置して行う場合と、ＡＤＦ３４を利用する場合とがある。前者の場合、原稿載置部３３の板面に沿って左右方向にＣＣＤイメージセンサ３７が移動され、その際に１ラインずつ、原稿載置部３３上の原稿の読み取りが行われる。また、後者の場合には、ＣＣＤイメージセンサ３７が、原稿載置部３３の左端位置に固定され、原稿がＡＤＦ３４によってＣＣＤイメージセンサ３７による読み取りが可能な位置に搬送されることで、原稿の読み取りが１ラインずつ行われる。
【００５２】
また、原稿読取部３の前端部上面には、各種のボタン等からなる操作部３９が設けられている。この操作部３９により、ユーザが原稿の印刷処理を実行させるための印刷指令など、複合機１を動作させるための各種の指令を入力することができるようになっている。
【００５３】
２．電気的構成
次に、複合機１の電気的構成について説明する。図４は、複合機１の電気的構成を概念的に示すブロック図である。複合機１は、ＣＰＵ５１、ＲＯＭ５２、ＲＡＭ５３、不揮発性メモリ５４、制御部５５、ネットワークインターフェイス５６等を備えて構成された制御装置５０を備えている。
【００５４】
ＲＯＭ５２には、複合機１を制御するための各種制御プログラムや各種設定、初期値等が記憶されている。ＲＡＭ５３（データ記憶手段の一例）は、各種制御プログラムが読み出される作業領域として、あるいは画像データを一時的に記憶する記憶領域として用いられる。不揮発性メモリ５４（履歴記憶手段の一例）には、後述する履歴情報などが記憶される。ネットワークインターフェイス５６には、外部のパーソナルコンピュータ５８等の情報処理装置が接続されることで、相互のデータ通信が可能となる。ＣＰＵ５１は、ＲＯＭ５２から読み出した制御プログラムに従って、その処理結果をＲＡＭ５３又は不揮発性メモリ５４に記憶させながら、制御部５５を介して複合機１の各構成要素を制御する。なお、ＣＰＵ５１は、本発明の禁止手段、制御手段としての機能を有する。
【００５５】
制御部５５は、ＡＳＩＣ（Application Specific Integrated Circuit）からなり、先に説明した原稿読取部３、画像形成部１０、操作部３９等の各部と電気的に接続されている。制御部５５は、原稿読取部３に接続された読取補正部６０と、この読取補正部６０に接続された判定部６１及び画像処理部６２とを備えている。読取補正部６０は、原稿読取部３による読み取り動作に並行して、その原稿読取部３が取得した画像データを受け取り、その画像データにガンマ補正、シェーディング補正等の補正処理を施す。
【００５６】
判定部６１（判定手段の一例）は、原稿読取部３による読み取り動作に並行して、読取補正部６０にて補正された画像データを受け取り、その画像データの画像内容に特定画像（紙幣や有価証券等）が含まれている否かを所定の判定条件に基づいて判定する。この判定条件の判定項目としては、例えば、画像データと予め記憶された参照用データとの合致率が用いられる。即ちこの場合、判定部６１は、画像データと予め記憶された参照用データとの合致率を算出し、その合致率が所定の閾値以上であるときに、その画像データが特定画像データを含んでいると判定し、その閾値未満であるときに、その画像データは特定画像データを含んでいないと判定する。なお、この判定部６１により画像データに特定画像データが含まれると判定された回数は、履歴情報として不揮発性メモリ５４に記憶される。
【００５７】
画像処理部６２は、原稿読取部３による読み取り動作に並行して、読取補正部６０にて補正された画像データを受け取り、その画像データ（ＲＧＢ画像データ）をマゼンタ、シアン、イエロー、及びブラックの各色に対応する画像データ（ＭＣＹＫ画像データ）に変換するなどの処理を行い、その変換処理後の画像データをＲＡＭ５３に記憶させる。
【００５８】
さらに、制御部５５は、画像形成部１０に接続される画像形成制御部６４を備えている。この画像形成制御部６４は、ＣＰＵ５１の制御により、ＲＡＭ５３に記憶された画像処理部６２による変換済みの画像データを読み出し、画像形成部１０を制御することにより用紙５上にその画像データに基づく画像を印刷し出力する。
【００５９】
３．ＣＰＵの制御による動作
図５〜図７は、ＣＰＵ５１によって実行される制御処理の流れを示すフローチャートである。
本実施形態では、原稿読取部３によって読み取った原稿画像を用紙５上に印刷出力する場合の処理について説明する。
【００６０】
ユーザが原稿載置部３３または原稿トレイ３６に原稿を載せて、操作部３９より印刷（コピー）を指示する印刷指令を入力すると、ＣＰＵ５１は、その印刷指令を受けて図５に示す印刷処理を開始する。ＣＰＵ５１は、まず不揮発性メモリ５４に記憶された履歴情報を参照し、判定部６１により画像データに特定画像データが含まれると判定された回数が予め定められた規定回数以上であるか否かを判断する（Ｓ１１）。この規定回数は、１回が望ましいが、２回以上としても良い。
【００６１】
そして、画像データに特定画像データが含まれると判定された回数が規定回数以上であると判断した場合（Ｓ１１：Ｙｅｓ）には、判定部６１による判定処理の完了後に印刷出力を開始する判定後出力処理を実行する（Ｓ１２）。
【００６２】
この判定後出力処理においては、図６に示すように、ＣＰＵ５１は、まず原稿読取部３に原稿画像の読み取り動作を実行させる（Ｓ２１）。前述のように判定部６１では、この読み取り動作に並行して、原稿読取部３により取得された画像データ（読取補正部６０にて補正処理が施された画像データ）が特定画像データを含んでいるか含んでいないかの判定が行われる。また、これに並行して、画像処理部６２では画像データ（補正処理が施された画像データ）の変換処理が行われれ、変換処理済みの画像データが順次ＲＡＭ５３に記憶される。
【００６３】
そして、ＣＰＵ５１は、判定部６１により画像データが特定画像データを含んでいると判定されたか否かを判断する（Ｓ２２）。そこで、特定画像データを含んでいると判定されていない場合（Ｓ２２：Ｎｏ）には、全ての原稿画像の読み取り動作が完了したか否かを判断し（Ｓ２３）、読み取り動作が完了していない場合（Ｓ２３：Ｎｏ）には、Ｓ２１に戻り、Ｓ２１〜Ｓ２３の処理を繰り返す。
【００６４】
読み取り動作が完了した場合（Ｓ２３：Ｙｅｓ）には、判定部６１により全ての画像データが特定画像データを含んでいないと判定されたことになるため、画像形成制御部６４によりＲＡＭ５３に記憶された変換処理済みの画像データが読み込まれ、画像形成部１０によりこの画像データに基づく画像が用紙５上に印刷出力される（Ｓ２４）。こうして全ての画像データについての印刷出力が完了したところで、ＣＰＵ５１は、判定後出力処理を終え、この印刷処理を終了する。
【００６５】
また、判定部６１により画像データが特定画像データを含むと判定された場合（Ｓ２２：Ｙｅｓ）には、ＣＰＵ５１は、その画像データに基づく印刷出力を実行させないための禁止処理を実行する（Ｓ２５）。この禁止処理では、例えば、画像形成部１０の機械的な動作が停止状態とされ、画像データの印刷出力が停止される。あるいは、この禁止処理では、ＲＡＭ５３に記憶された画像データに改変を加える無効化処理が行われ、画像形成部１０によりその無効化処理が施された画像データに基づく画像の印刷出力が実行される。なお、無効化処理が施された画像データに基づく画像とは、例えば、元の画像の上に模様や文字等を重ねたものとしても良く、あるいは、元の画像と全く異なる画像としても良い（塗りつぶし等も含む）。
【００６６】
そして、ＣＰＵ５１は、上記の禁止処理を実行した後、判定部６１による判定結果を不揮発性メモリ５４に記録する（Ｓ２６）。具体的には、不揮発性メモリ５４に履歴情報として記憶されている、判定部６１により特定画像データを含んでいると判定された回数（以下、適宜「特定画像判定の回数」という。）を１つ増加させる。そして、ＣＰＵ５１は、判定後出力処理を終え、この印刷処理を終了する。
【００６７】
一方、ＣＰＵ５１は、図５のＳ１１にて、特定画像判定の回数が規定回数未満であると判断した場合（Ｓ１１：Ｎｏ）には、判定部６１による判定と画像形成部１０による出力とを並行して行う判定・出力並行処理を実行する（Ｓ１３）。
【００６８】
この判定・出力並行処理においては、図７に示すように、ＣＰＵ５１は、まず原稿読取部３に原稿画像の読み取り動作を実行させ、それに並行して画像形成制御部６４を印刷出力可能な状態とする（Ｓ３１）。前述のように、原稿読取部３による読み取り動作に並行して、判定部６１では取得された画像データ（補正処理が施された画像データ）の判定処理が行われる。また、これに並行して、原稿読取部３により取得された画像データ（補正処理が施された画像データ）が、画像処理部６２にて変換処理が施された後、順次ＲＡＭ５３に記憶される。
【００６９】
ここで、画像形成制御部６４によるＲＡＭ５３に記憶された変換処理済みの画像データの読み込みと画像形成部１０による用紙５上への印刷出力とは、ＲＡＭ５３に蓄積される画像データのデータ量が所定の出力開始閾値に至ったところで開始される。このため、原稿読取部３による画像データの取得が行われてから、少なくともＲＡＭ５３に蓄積される画像データが所定のデータ量に至るまでの時間だけ、画像形成部１０により用紙５上に印刷が開始される時期が遅くなる。
【００７０】
続いて、ＣＰＵ５１は、判定部６１により画像データが特定画像データを含んでいると判定されたか否かを判断する（Ｓ３２）。そこで、特定画像データを含んでいると判定されていない場合（Ｓ３２：Ｎｏ）には、原稿読取部３により全ての原稿画像の読み取り動作が完了したか否かを判断し（Ｓ３３）、読み取り動作が完了していない場合（Ｓ３３：Ｎｏ）には、Ｓ３１に戻り、Ｓ３１〜Ｓ３３の処理を繰り返す。読み取り動作が完了した場合（Ｓ３３：Ｙｅｓ）には、この判定・出力並行処理を終え、印刷処理を終了する。
【００７１】
また、判定部６１により画像データが特定画像データを含むと判定された場合（Ｓ３２：Ｙｅｓ）には、ＣＰＵ５１は、その画像データに基づく印刷出力を実行させないための禁止処理を実行する（Ｓ３４）。この禁止処理では、例えば、読み取り動作中の原稿読取部３や印刷出力中の画像形成部１０の機械的な動作を停止状態とすることで、画像データの印刷出力を中止させる。あるいは、この禁止処理では、画像形成部１０に無効化処理が施された画像データに基づく画像の印刷出力が実行させる。画像データに無効化処理を施すには、例えば、ＣＣＤイメージセンサ３７の移動を停止させたり（原稿載置部３３に載置された原稿を読み取る場合）、ＣＣＤイメージセンサ３７の光源をオフにすることなどにより原稿読取部３によって取得される画像データを異常とする方法や、画像処理部６２にて変換する際に画像データに何らかの改変を加える方法、画像形成制御部６４によりＲＡＭ５３から画像データを読み出す際に画像データに何らかの改変を加える方法などがある。
【００７２】
そして、ＣＰＵ５１は、上記の禁止処理を実行した後、不揮発性メモリ５４に履歴情報として記憶された特定画像判定の回数を１つ増加させて（Ｓ３５）判定後出力処理を終え、この印刷処理を終了する。
【００７３】
４．本実施形態の効果
以上のように本実施形態によれば、画像データ中に特定画像データが含まれると判定された回数が規定回数未満のとき（例えば０回のとき）には、画像データの判定が完了するより前に出力が開始されるため、特定画像を出力しようとしない一般のユーザが不必要な待ち時間を強いられることを抑制できる。また、画像データ中に特定画像データが含まれると判定された回数が規定回数以上のときには、特定画像データを含まないと判定された後でないと出力が開始されないため、特定画像が一部分でも出力されてしまうことを確実に防ぐことができる。
【００７４】
また、特定画像判定の回数が規定回数以上の場合には、原稿読取部３により取得した画像データの判定を行う間に、その画像データをＲＡＭ５３に蓄積させ、判定完了後に画像データの出力を行う。これにより、次に述べる実施形態２のように、原稿読取部３により出力用の画像データを取得する前の段階で判定用の画像データを取得するというような処理を行うことを省略することができる。
【００７５】
また、原稿画像のスキャンやコピーなどの際に用いられる原稿読取手段は、特定画像の出力を図る手段として最も利用される可能性が高いものであるため、そうした原稿読取手段である原稿読取部３を備えた複合機１に本発明を適用することにより、偽造行為を効果的に防止できる。
【００７６】
また、判定完了より前に出力を開始させるための基準となる特定画像判定の規定回数を２回以上とすると、特定画像の一部分が複数回出力された場合に、それらを合成して悪用されるおそれがあるが、規定回数を１回とすることでそのような事態を防止できる。
【００７７】
また、判定結果についての履歴情報を不揮発性メモリに記憶させるため、複合機１の電源をオフにした場合にもその履歴情報が消失しない。
【００７８】
＜実施形態２＞
次に本発明の実施形態２について図８のフローチャートを参照して説明する。
本実施形態では、原稿載置部３３に載置された原稿から読み取った画像を用紙５上に印刷出力する場合の処理について説明する。なお、複合機１の構成については実施形態１と同様である（以下の実施形態も同様）。
【００７９】
ＣＰＵ５１は、印刷処理を開始すると、まず不揮発性メモリ５４に記憶された履歴情報を参照し、特定画像判定の回数が規定回数以上であるか否かを判断する（Ｓ４１）。
【００８０】
そして、特定画像判定の回数が規定回数以上である場合（Ｓ４１：Ｙｅｓ）には、原稿読取部３に対し判定用画像データを取得するための判定用読み取り動作を実行させる（Ｓ４２）。この判定用読み取り動作は、通常の出力用画像データを取得するための読み取り動作よりも低解像度で行われるため、通常よりも高速に行われる。これにより得られる判定用画像データは、印刷出力に用いられる出力用の画像データよりもデータ量が少ない。また、この判定用読み取り動作に並行して、判定部６１では取得された判定用画像データ（読取補正部６０により補正処理が施された画像データ）が特定画像データを含んでいるか含んでいないかの判定が行われる。なお、この判定用画像データに対しては、画像処理部６２による変換処理は行われない。
【００８１】
そして、ＣＰＵ５１は、判定部６１により判定用画像データが特定画像データを含んでいると判定されたか否かを判断する（Ｓ４３）。そこで、特定画像データを含んでいると判定されていない場合（Ｓ４３：Ｎｏ）には、全ての原稿画像の読み取り動作が完了したか否かを判断し（Ｓ４４）、読み取り動作が完了していない場合（Ｓ４４：Ｎｏ）には、Ｓ４２に戻り、Ｓ４２〜Ｓ４４の処理を繰り返す。
【００８２】
読み取り動作が完了した場合（Ｓ４４：Ｙｅｓ）には、判定部６１により全ての判定用画像データが特定画像データを含んでいないと判定されたことになるため、判定・出力並行処理（実施形態１と同様、図７参照）を実行する（Ｓ４５）。
【００８３】
判定部６１により画像データが特定画像データを含むと判定された場合（Ｓ４３：Ｙｅｓ）には、ＣＰＵ５１は、その画像データに基づく印刷出力を実行させないための禁止処理を実行し（Ｓ４６）、続いて不揮発性メモリ５４に履歴情報として記憶された特定画像判定の回数を１つ増加させる（Ｓ４７）。
【００８４】
一方、ＣＰＵ５１は、Ｓ４１にて、特定画像判定の回数が規定回数未満であると判断した場合（Ｓ４１：Ｎｏ）には、判定用読み取り動作を行うことなく、直ちに判定・出力並行処理（図７参照）を実行する（Ｓ４５）。
【００８５】
実施形態１のように、取得した画像データを判定部６１による判定と画像形成部１０による出力との両方に用いる場合、画像データの出力を判定完了後に開始させるためには、判定が終わるまでの間、画像データをＲＡＭ５３等の記憶手段に記憶させておく必要があり、そのため記憶手段に大きな容量が必要となってしまう。本実施形態では、先に判定のみに用いる判定用画像データを取得し、その判定完了後、出力用画像データの取得と並行して出力を行うため、使用する記憶手段の容量を低減することができる。
【００８６】
また、判定用画像データを取得するための読み取り動作が出力用画像データを取得するための読み取り動作よりも低解像度で行われるため、判定用画像データを取得するための読み取り動作にかかる時間を低減することができる。
【００８７】
＜実施形態３＞
次に本発明の実施形態３について図９のフローチャートを参照して説明する。
本実施形態では、原稿読取部３によって読み取った原稿画像を用紙５上に印刷出力する場合の処理について説明する。
【００８８】
ＣＰＵ５１は、印刷処理を開始すると、まず不揮発性メモリ５４に記憶された履歴情報を参照し、特定画像判定の回数が規定回数以上であるか否かを判断する（Ｓ５１）。そして、特定画像判定の回数が規定回数未満である場合（Ｓ５１：Ｎｏ）には、判定・出力並行処理（図７参照）を実行する（Ｓ５２）。なお、この判定・出力並行処理においては、判定部６１は初期設定である第１判定条件に基づいて判定を行う。
【００８９】
また、ＣＰＵ５１は、特定画像判定の回数が規定回数以上である場合（Ｓ５１：Ｙｅｓ）には、判定部６１により判定を行う際の判定条件を第１判定条件から第２判定条件に変更させ、続いて判定後出力処理（実施形態１と同様、図６参照）を実行する（Ｓ５４）。
【００９０】
第２判定条件は、例えば、画像データに特定画像データが含まれないと判定するための条件が第１判定条件に比べて厳しくされる。具体的には、例えば、前述の合致率を用いて判定を行う場合には、第２判定条件は、第１判定条件に比べ、特定画像データを含むと判定するための合致率の閾値が低くされる。
【００９１】
第２判定条件は、あるいは、第１判定条件よりも判定項目の数が多くされる。具体的には、例えば、第２判定条件を、画像データの元となる画像の色あるいはサイズに関する判定項目（即ち、画像データに基づく画像が特定画像と推測されるような画像の色あるいはサイズであるか否かを判定するための項目）を含んだものとし、第１判定条件を、その判定項目を含まないものとするなどである。
【００９２】
本実施形態によれば、特定画像判定の回数が規定回数未満のときには、比較的厳格でない判定条件に基づいて判定が行われる。このため、特定画像を出力しようとしない一般のユーザが、例えば、特定画像でない画像を出力しようとした際にその画像が誤判定により出力できなくなるといった不利益を被ることを防止できる。また、特定画像判定の回数が規定回数以上のときには、より厳格な判定条件に基づいて判定が行われるため、特定画像が出力されることをより確実に防ぐことができる。
【００９３】
また、特定画像判定の回数が規定回数未満のとき、即ち特定画像を出力しようとしていないと認められるユーザに対しては、判定項目を減らすことで迅速な出力処理を行うことが可能となる。
【００９４】
また、特定画像判定の回数が規定回数以上である場合には、特定画像データと判定するための合致率の閾値を下げることで、より特定画像を含むとの判定がされやすくなり、それにより特定画像の出力を抑制することができる。
【００９５】
＜実施形態４＞
次に本発明の実施形態４について図１０のフローチャートを参照して説明する。
本実施形態では、原稿読取部３によって読み取った原稿画像を用紙５上に印刷出力する場合の処理について説明する。
【００９６】
ＣＰＵ５１は、印刷処理を開始すると、まず不揮発性メモリ５４に記憶された履歴情報を参照し、判定部６１による特定画像判定の回数が規定回数以上であるか否かを判断する（Ｓ６１）。そして、特定画像判定の回数が規定回数以上である場合（Ｓ６１：Ｙｅｓ）には、判定部６１の判定条件を初期設定である第１判定条件から第２判定条件に変更する（Ｓ６２）。この第２判定条件は、前述の実施形態と同様に、特定画像データが含まれないと判定するための条件が第１判定条件よりも厳しくされるか、あるいは第１判定条件よりも判定項目が多くされる。
【００９７】
続いて、画像形成部１０により印刷出力を開始するための条件となる既述の出力開始閾値を初期値である第１閾値からそれより大きな第２閾値に増加させ（Ｓ６３）、その後に、判定・出力並行処理（図７参照）を実行する（Ｓ６４）。一方、ＣＰＵ５１は、Ｓ６１にて、特定画像データが含まれると判定された回数が規定回数未満であると判断された場合（Ｓ６１：Ｎｏ）には、Ｓ６２，Ｓ６３のステップを経ずに、判定・出力並行処理を実行する（Ｓ６４）。
【００９８】
以上により、特定画像判定の回数が規定回数未満である場合（Ｓ６１：Ｎｏ）には、ＲＡＭ５３に記憶される画像データの量が第１閾値に達したときに印刷出力が開始され、特定画像判定の回数が規定回数以上である場合（Ｓ６１：Ｙｅｓ）には、ＲＡＭ５３に記憶される画像データの量が第１閾値よりも大きな第２閾値に達したときに、印刷出力が開始される。従って、特定画像判定の回数が増加するのに応じて出力開始までの時間が増加する。
【００９９】
本実施形態によれば、特定画像判定の回数が規定回数以上の場合には、規定回数未満の場合に比べて、出力の開始までにＲＡＭ５３に蓄積される画像データの量が大きくなる。これにより、特定画像判定の回数が規定回数未満の場合には、早期に出力が開始されるため、特定画像を出力しようとしない一般のユーザが長い待ち時間を強いられることを回避できる。また、特定画像判定の回数が規定回数以上の場合には、出力が開始される時期が遅くなるため、画像データが特定画像データを含む場合にその画像データが出力されてしまうことを抑制することができる。
【０１００】
また、特定画像判定の回数が増加するのに応じて出力の開始までの時間が増加する。これにより、特定画像判定の回数が少ない場合には、早期に出力が開始されるため、特定画像を出力しようとしない一般のユーザが長い待ち時間を強いられることを回避できる。また、特定画像判定の回数が多い場合には、出力が開始される時期が遅くなるため、それだけ時間を掛けて精度の高い判定処理を行うことが可能になり、それにより特定画像が出力されることを効果的に抑制することができる。加えて、出力が開始される時期が遅くなることにより、画像データが特定画像データを含む場合に、禁止処理が行われた時点での出力量を低減することができる。
【０１０１】
＜実施形態５＞
次に本発明の実施形態５について図１１のフローチャートを参照して説明する。
本実施形態では、原稿読取部３によって読み取った原稿画像を用紙５上に印刷出力する場合の処理について説明する。
【０１０２】
ＣＰＵ５１は、印刷処理を開始すると、まず不揮発性メモリ５４に記憶された履歴情報を参照し、判定部６１による特定画像判定の回数がＭ回以上であるか否かを判断する（Ｓ７１）。ここで、Ｍの値は、１が望ましいが、２以上としても良い。そして、特定画像データが含まれると判定された回数がＭ回未満である場合（Ｓ７１：Ｎｏ）には、判定・出力並行処理（図７参照）を開始する（Ｓ７２）。
【０１０３】
また、特定画像判定の回数がＭ回以上である場合（Ｓ７１：Ｙｅｓ）には、次に、特定画像判定の回数がＮ回以上であるか否かを判断する（Ｓ７３）。ここで、Ｎ＞Ｍである。
【０１０４】
特定画像データが含まれると判定された回数がＮ回未満である場合（Ｓ７３：Ｎｏ）には、ＣＰＵ５１は、画像形成部１０により印刷出力を開始するための出力開始閾値を初期値よりも増加させる（Ｓ７４）。この出力開始閾値の増加量は、特定画像判定の回数に応じて多段階的に変更される。即ち、特定画像判定の回数がＭ回以上Ｎ回未満のときには、同判定の回数が増えるにつれ、出力開始閾値の初期値からの増加量が大きくなる。
【０１０５】
続いてＣＰＵ５１は、判定・出力並行処理（図７参照）を実行する（Ｓ７２）。このとき、Ｓ７４における出力開始閾値の増加量に応じて、原稿読取部３による原稿の読み取り開始から画像形成部１０により印刷出力が開始されるまでの時間が通常時（特定画像判定がＭ回未満の時）よりも増加することになる。
【０１０６】
一方、ＣＰＵ５１は、Ｓ７３にて、特定画像判定の回数がＮ回以上であった場合（Ｓ７３：Ｙｅｓ）には、判定後出力処理（図６参照）を実行する（Ｓ７５）。
【０１０７】
本実施形態によれば、特定画像判定の回数が増加するのに応じて出力の開始までの時間が多段階的に増加する。これにより、特定画像判定の回数が少ない場合には、早期に出力が開始されるため、特定画像を出力しようとしない一般のユーザが長い待ち時間を強いられることを回避できる。また、特定画像判定の回数が多い場合には、出力が開始される時期が遅くなるため、それだけ時間を掛けて精度の高い判定処理を行うことが可能となり、それにより特定画像が出力されることを効果的に抑制することができる。
【０１０８】
なお、本実施形態において、画像データを記憶しておくためのＲＡＭ５３の容量が十分にない場合には、Ｓ７５の判定後出力処理に代えて、図８のＳ４２〜Ｓ４７のように判定用読み取り動作を行った後に、判定・出力並行処理を実行することで、使用するＲＡＭ５３の容量を低減することができる。
【０１０９】
＜実施形態６＞
次に本発明の実施形態６について図１２のフローチャートを参照して説明する。
本実施形態では、原稿載置部３３に載置された原稿から読み取った画像を用紙５上に印刷出力する場合の処理について説明する。
【０１１０】
ＣＰＵ５１は、印刷処理を開始すると、まず不揮発性メモリ５４に記憶された履歴情報を参照し、判定部６１による特定画像判定の回数が規定回数以上であるか否かを判断する（Ｓ８１）。そして、特定画像判定の回数が規定回数未満である場合（Ｓ８１：Ｎｏ）には、判定・出力並行処理（図７参照）を実行する（Ｓ８２）。
【０１１１】
また、特定画像判定の回数が規定回数以上である場合（Ｓ８１：Ｙｅｓ）には、予備判定処理を実行する（Ｓ８３）。この予備判定処理は、画像データに特定画像データが含まれる可能性が高いか否かを判定部６１により判定させるもので、画像データに特定画像データが含まれるか否かを判定する（断定する）通常の判定処理（本判定処理）よりも短時間で行われる。
【０１１２】
具体的には、この予備判定処理では、例えば、原稿読取部３にて原稿の一部分の読み取りを行い、取得された画像データに基づき判定部６１にてその原稿サイズ（主走査方向のみ）を求め、その原稿サイズが予め登録された特定画像データのサイズと一致するか否かを調べることで判定を行う。あるいは、原稿読取部３にて原稿の一部分の読み取りを行い、取得された画像データに基づき判定部６１にてその原稿画像の色が予め登録された特定画像の色と一致するか否かを調べることで判定を行う。
【０１１３】
続いて、ＣＰＵ５１は、予備判定処理により画像データに特定画像データが含まれる可能性が高いと判定されたか否かを判断し（Ｓ８４）、特定画像データが含まれる可能性が高くないと判断された場合（Ｓ８４：Ｎｏ）には、判定・出力並行処理を実行する（Ｓ８２）。また、特定画像データが含まれる可能性が高いと判断された場合（Ｓ８４：Ｙｅｓ）には、判定後出力処理（図６参照）を実行する（Ｓ８５）。
【０１１４】
本実施形態によれば、高速な予備判定処理により特定画像データが含まれる可能性が低いと判定された場合には、通常の判定処理（本判定処理）による判定の完了前に出力を開始するため、出力処理の停滞を防止できる。特に複合機１を複数のユーザが使用する場合には、一人のユーザが特定画像の出力を図ることにより、他のユーザが処理速度の低下という不利益を被ることを抑制できる。
【０１１５】
また、予備判定処理では、原稿画像の色やサイズを判定項目として用いるため、判定を早期に完了させることが可能となる。
【０１１６】
＜実施形態７＞
次に本発明の実施形態７について図１３のフローチャートを参照して説明する。
本実施形態では、原稿載置部３３に載置された原稿から読み取った画像を用紙５上に印刷出力する場合の処理について説明する。
【０１１７】
ＣＰＵ５１は、印刷処理を開始すると、まず不揮発性メモリ５４に記憶された履歴情報を参照し、判定部６１による特定画像判定の回数が規定回数以上であるか否かを判断する（Ｓ９１）。そして、特定画像判定の回数が規定回数未満である場合（Ｓ９１：Ｎｏ）には、判定・出力並行処理（図７参照）を実行する（Ｓ９２）。
【０１１８】
また、特定画像データが含まれると判定された回数が規定回数以上である場合（Ｓ９１：Ｙｅｓ）には、判定部６１の判定条件を初期値である第１判定条件から第２判定条件に変更する（Ｓ９３）。この第２判定条件は、前述の実施形態と同様に、特定画像データが含まれないと判定するための条件が第１判定条件よりも厳しいか、あるいは第１判定条件よりも判定項目が多くされる。そして、画像形成部１０により印刷出力を開始するための出力開始閾値を初期値である第１閾値からそれより大きな第２閾値に増加させる（Ｓ９４）。
【０１１９】
続いて、ＣＰＵ５１は、予備判定処理を実行して（Ｓ９５）、画像データに特定画像データが含まれる可能性が高いか否かを判断し（Ｓ９６）、特定画像データが含まれる可能性が高くない場合（Ｓ９６：Ｎｏ）には、判定・出力並行処理を実行する（Ｓ９２）。また、特定画像データが含まれる可能性が高いと判断された場合（Ｓ９６：Ｙｅｓ）には、判定後出力処理（図６参照）を実行する（Ｓ９７）。
【０１２０】
本実施形態によれば、実施形態３と同様に、特定画像判定の回数が規定回数未満のときには、比較的厳格でない判定条件に基づいて判定が行われる。このため、特定画像を出力しようとしない一般のユーザが、例えば、特定画像でない画像を出力しようとした際にその画像が誤判定により出力できなくなるといった不利益を被ることを防止できる。また、特定画像判定の回数が規定回数以上のときには、より厳格な判定条件に基づいて判定が行われるため、特定画像が出力されることをより確実に防ぐことができる。
【０１２１】
また、実施形態４と同様に、特定画像判定の回数が規定回数未満の場合には、早期に出力が開始されるため、特定画像を出力しようとしない一般のユーザが長い待ち時間を強いられることを回避できる。また、特定画像判定の回数が規定回数以上の場合には、出力が開始される時期が遅くなるため、画像データが特定画像データを含む場合にその画像データが出力されてしまうことを抑制することができる。
【０１２２】
また、実施形態６と同様に、高速な予備判定処理により特定画像データが含まれる可能性が低いと判定された場合には、通常の判定処理（本判定処理）による判定の完了前に出力を開始するため、出力処理の停滞を防止できる。特に複合機１を複数のユーザが使用する場合には、一人のユーザが特定画像の出力を図ることにより、他のユーザが処理速度の低下という不利益を被ることを抑制できる。
【０１２３】
＜実施形態８＞
次に本発明の実施形態８について図１４のフローチャートを参照して説明する。
本実施形態では、原稿読取部３によって読み取った原稿画像を用紙５上に印刷出力する場合の処理について説明する。
【０１２４】
ＣＰＵ５１は、印刷処理を開始すると、まず不揮発性メモリ５４に記憶された履歴情報を参照し、判定部６１による特定画像判定の回数が規定回数以上であるか否かを判断する（Ｓ１０１）。そして、特定画像データが含まれると判定された回数が規定回数未満である場合（Ｓ１０１：Ｎｏ）には、判定・出力並行処理（図７参照）を実行する（Ｓ１０２）。
【０１２５】
また、特定画像データが含まれると判定された回数が規定回数以上である場合（Ｓ１０１：Ｙｅｓ）には、原稿読取部３における読み取り動作が原稿載置部３３に載置された原稿に対し行われるのかそうでないのかを判断する（Ｓ１０３）。そして、読み取り動作が原稿載置部３３の原稿に対し行われない場合（Ｓ１０３：Ｎｏ）、即ち、原稿トレイ３６に載置された原稿をＡＤＦ３４で搬送することにより読み取りが行われる場合には、出力開始閾値を増加（Ｓ１０４）させた後、判定・出力並行処理を実行する（Ｓ１０２）。
【０１２６】
また、原稿読取部３における読み取り動作が原稿載置部３３に載置された原稿に対し行われる場合（Ｓ１０３：Ｙｅｓ）には、原稿読取部３に判定用読み取り動作を実行させる（Ｓ１０５）。その後に実行される処理（Ｓ１０５〜Ｓ１０９、Ｓ１０２）は、前述の実施形態２（Ｓ４２〜Ｓ４７）と同様である。即ち、判定用画像データが特定画像データを含むと判定された場合（Ｓ１０６：Ｙｅｓ）には、禁止処理（Ｓ１０８）及び不揮発性メモリ５４への判定結果の記録（Ｓ１０９）が行われ、判定用画像データの全てについて特定画像データが含まれないと判定された場合（Ｓ１０６：Ｎｏ，Ｓ１０７：Ｙｅｓ）には、判定・出力並行処理が実行される（Ｓ１０２）。
【０１２７】
本実施形態によれば、原稿載置部３３に載置された原稿を読み取る場合には、同じ原稿を複数回読み取ることが可能であるため、先に判定のみに用いる判定用画像データを取得し、その判定完了後、出力用画像データの取得と並行して出力を行う。また、ＡＤＦ３４によって送られる原稿を読み取る場合には、同じ原稿を複数回読み取ることができないため、原稿読取部３により判定用画像データよりも少ない量の画像データを取得したところで画像形成部１０による出力を開始させ、判定部６１による判定と画像形成部１０による出力とを並行して行う。これにより、使用する記憶手段の容量を低減することができる。また、判定用画像データを用いて判定を行うことで、記憶手段の容量が限られていても、判定を行うことができる。
【０１２８】
＜他の実施形態＞
本発明は上記記述及び図面によって説明した実施形態に限定されるものではなく、例えば次のような実施形態も本発明の技術的範囲に含まれる。
【０１２９】
（１）上記実施形態では、取得手段としての原稿読取部３によって原稿画像を読み取ることで取得した画像データを用紙５に印刷出力する場合を示したが、本発明のうち原稿読取手段を構成要素としないものについては、外部の情報処理装置から送信された画像データを取得して用紙５に印刷出力する場合にも適用することが可能である。この場合、例えば、取得手段としてのネットワークインターフェイス５６により外部からの画像データ（ＰＤＬデータ）を取得し、その画像データを展開後、判定部６１及び画像処理部６２にてそれぞれ処理するように構成すれば良い。さらに、ファクシミリ機能を備えた装置において、外部から電話回線を介して受信した画像データを用紙に印刷出力する場合にも本発明を適用することができる。
【０１３０】
（２）上記実施形態では、原稿読取手段により取得した画像データを用紙５に印刷出力する場合を示したが、本発明は、原稿読取手段により取得した画像データを出力手段としてのネットワークインターフェイス５６を介して外部のコンピュータ５８等に出力する場合にも適用することができる。また同様に、出力手段として、例えばＵＳＢインターフェイスやその他のメディア接続部を設けたものにおいて、取得した画像データをフラッシュメモリ等の外部のメディアに出力して記憶させる場合にも本発明を適用することができる。さらに、画像形成手段を備えていない画像処理装置としてのスキャナにも本発明を適用することができる。また、ファクシミリ機能を備えた装置において、原稿読取手段により取得した画像データを電話回線を介して外部に送信出力する場合にも本発明を適用することができる。
【０１３１】
（３）上記実施形態では、画像形成装置（画像処理装置）として、いわゆる直接転写型タンデム方式のレーザプリンタを示したが、これに限らず本発明は、中間転写型タンデム方式や４サイクル方式などの他の方式のレーザプリンタにも適用でき、さらにインクジェット方式のプリンタなどにも適用することができる。
【０１３２】
（４）上記実施形態では、ＲＡＭを画像データを記憶するデータ記憶手段として用いたが、画像データのみを専門に扱う画像メモリを別に設けても良い。
（５）画像データをＲＡＭ等の記憶手段に記憶させる際に画像データを圧縮して記憶させ、読み出す際に画像データを解凍させるように構成しても良い。
【０１３３】
（６）特定画像判定の「規定回数」を１回とする場合には、履歴記憶手段には、履歴情報として、少なくとも判定手段により特定画像データが含まれると判定されたことがあるか否かについての情報が記憶されていれば良い。
【図面の簡単な説明】
【０１３４】
【図１】本発明の画像処理装置及び画像形成装置の一例である複合機の外観を示す斜視図
【図２】原稿カバーを上げた状態を示す複合機の斜視図
【図３】本体部の概略構成を示す断面図
【図４】複合機の電気的構成を概念的に示すブロック図
【図５】実施形態１における印刷処理の流れを示すフローチャート
【図６】判定後出力処理の流れを示すフローチャート
【図７】判定・出力並行処理の流れを示すフローチャート
【図８】実施形態２における印刷処理の流れを示すフローチャート
【図９】実施形態３における印刷処理の流れを示すフローチャート
【図１０】実施形態４における印刷処理の流れを示すフローチャート
【図１１】実施形態５における印刷処理の流れを示すフローチャート
【図１２】実施形態６における印刷処理の流れを示すフローチャート
【図１３】実施形態７における印刷処理の流れを示すフローチャート
【図１４】実施形態８における印刷処理の流れを示すフローチャート
【符号の説明】
【０１３５】
１…複合機（画像処理装置、画像形成装置）
３…原稿読取部（取得手段、原稿読取手段）
５…用紙（被記録媒体）
１０…画像形成部（出力手段、画像形成手段）
３３…原稿載置部
３４…ＡＤＦ（原稿送り部）
３７…ＣＣＤイメージセンサ（読取機構）
５１…ＣＰＵ（禁止手段、制御手段）
５３…ＲＡＭ（データ記憶手段）
５４…不揮発性メモリ（履歴記憶手段）
５６…ネットワークインターフェイス（取得手段、出力手段）
６１…判定部（判定手段）
【図１】
2007235375.tif 000003
【図２】
2007235375.tif 000004
【図３】
2007235375.tif 000005
【図４】
2007235375.tif 000006
【図５】
2007235375.tif 000007
【図６】
2007235375.tif 000008
【図７】
2007235375.tif 000009
【図８】
2007235375.tif 000010
【図９】
2007235375.tif 000011
【図１０】
2007235375.tif 000012
【図１１】
2007235375.tif 000013
【図１２】
2007235375.tif 000014
【図１３】
2007235375.tif 000015
【図１４】
2007235375.tif 000016